(57)【要約】【課題】  携帯電子機器を構成する筐体の内部に設けられ、筐体の外方に露出する電気部品の静電気対策用の静電気除去部材において、携帯電子機器の製造効率の向上を図ると共に電気部品の静電気対策の信頼性向上を図れるようにする。【解決手段】  導電性材料により形成された電気部品１３の静電気除去部材３３であって、前記電気部品１３の少なくとも主面の周縁を覆う枠体部３５と、該枠体部３５と一体的に形成され、下方に延びる接続端子部３９とを有し、該接続端子部３９には、前記電気部品１３に係合する係止部４１と、弾性変形可能なバネ部４３とを備えることを特徴とする静電気除去部材３３を提供する。【選択図】      図４
2006012730.tif 000002
【特許請求の範囲】
【請求項１】
導電性材料により形成された電気部品の静電気除去部材であって、
前記電気部品の少なくとも主面の周縁を覆う枠体部と、該枠体部と一体的に形成され、下方に延びる接続端子部とを有し、該接続端子部には、前記電気部品に係合する係止部と、弾性変形可能なバネ部とを備えることを特徴とする静電気除去部材。
【請求項２】
前記接続端子部が前記電気部品を挟んで一対設けられ、前記接続端子部の先端側に前記バネ部が設けられ、該バネ部と前記接続端子部の根元部との間に前記係止部が設けられていることを特徴とする請求項１に記載の静電気除去部材。
【請求項３】
請求項１又は請求項２に記載の静電気除去部材と、主面に隣接する側面に前記静電除去部材の係止部と係合する係合部を有する電気部品と、グランド電極を有する回路基板とを有し、前記静電気除去部材の枠体部を前記電気部品の主面周縁に配置し、かつ前記静電気除去部材の係止部を前記電気部品の係合部と係合させると共に、前記静電気除去部材の接続端子部を前記回路基板のグランド電極と弾性接触させてあることを特徴とする静電気対策ユニット。
【請求項４】
前記接続端子部のバネ部を前記電気部品の係合部による押圧力により弾性変形させて前記接続端子部を前記回路基板のグランド電極と弾性接触させてあることを特徴とする請求項３に記載の静電気対策ユニット。
【請求項５】
請求項３又は請求項４に記載の静電気対策ユニットを筐体内に具備することを特徴とする携帯電子機器。
【請求項６】
前記電気部品の側面には、外方に突出する水平壁部と、該水平壁部より下方に延びる垂直壁部とからなる突出部が設けられ、
該突出部を前記筐体に係合させて固定すると共に、前記水平壁部には前記係合部が設けられ、
前記電気部品を筐体内に固定したとき、前記係合部による押圧力により前記接続端子部のバネ部を弾性変形させて接続端子部を前記回路基板のグランド電極と弾性接触させてあることを特徴とする請求項５に記載の携帯電子機器。
【発明の詳細な説明】
【技術分野】
【０００１】
この発明は、電気部品の静電気除去部材、及び、これを備えた電気部品の静電気対策ユニット、及び、これを用いた携帯電子機器に関する。
【背景技術】
【０００２】
従来、携帯電話機、簡易型携帯電話機（ＰＨＳ（登録商標））、ＰＤＡ（Personal Digital Assistants）、デジタルカメラ等の携行可能な携帯電子機器は、筐体と、筐体内部に配されると共に筐体の外部に露出する電気部品と、この電気部品を搭載する回路基板とを備えている。このような電気部品としては、例えば、液晶表示装置、マイクロフォン、スピーカ、カメラユニット等がある。そして、これら電気部品の回りには、静電気による電気部品の誤動作を防止することを目的として、回路基板に形成されたグランド電極に静電気を逃がすために様々な工夫がなされている（例えば、特許文献１参照。）。
このような静電気対策構造としては、例えば、薄膜状の金属箔から形成され、電気部品の表面に粘着剤を介して貼り付けるように構成されたものがある。また、電気部品や回路基板は、筐体の厚さ方向に重ねて配されており、筐体を構成する一対のケース部材により挟み込まれている。このような静電気対策構造体及びグランド電極は、これらケース部材の挟み込み力によって相互に当接し、これらの電気的な導通が図られている。
【特許文献１】特開２００３−１８２６４号公報
【発明の開示】
【発明が解決しようとする課題】
【０００３】
しかしながら、上記従来のこのような静電気対策構造体は、電気部品の表面に貼り付ける金属泊から構成されているため、静電気対策構造体の取り付け作業に時間がかかり、携帯電子機器の製造効率を低下させるという問題がある。
また、一対のケース部材により電気部品及び回路基板を挟み込む力を利用して、このような静電気対策構造体を回路基板のグランド電極と当接させるような構造であるため、このような静電気対策構造体とグランド電極との電気的な導通を確実に行うことが難しく、特に振動等により接触不良を起こす虞があり、電気部品の静電気対策の信頼性に欠けるという問題がある。
この発明は、上述した事情に鑑みてなされたものであって、携帯電子機器の製造効率を向上させると共に、電気部品の静電気対策の信頼性向上を図ることができる静電気除去部材と、これを備えた電気部品の静電気対策ユニット及びこれを用いた携帯電子機器を提供することを目的としている。
【課題を解決するための手段】
【０００４】
上記課題を解決するために、この発明は以下の手段を提案している。
本発明に係る静電気除去部材は、導電性材料により形成された電気部品の静電気除去部材であって、前記電気部品の少なくとも主面の周縁を覆う枠体部と、該枠体部と一体的に形成され、下方に延びる接続端子部とを有し、該接続端子部には、前記電気部品に係合する係止部と、弾性変形可能なバネ部とを備えることを特徴とする。なお、電気部品の主面とは、例えば、電気部品を筐体内部に設けた状態において筐体の外方に露出する部分を含んだ面を示している。
また、本発明に係る静電気除去部材は、前記接続端子部が前記電気部品を挟んで一対設けられ、前記接続端子部の先端側に前記バネ部が設けられ、該バネ部と前記接続端子部の根元部との間に前記係止部が設けられていることを特徴とする。
【０００５】
さらに、本発明に係る静電気対策ユニットは、前記静電気除去部材と、主面に隣接する側面に前記静電除去部材の係止部と係合する係合部を有する電気部品と、グランド電極を有する回路基板とを有し、前記静電気除去部材の枠体部を前記電気部品の主面周縁に配置し、かつ前記静電気除去部材の係止部を前記電気部品の係合部と係合させると共に、前記静電気除去部材の接続端子部を前記回路基板のグランド電極と弾性接触させてあることを特徴とする。
また、本発明に係る静電気対策ユニットは、前記接続端子部のバネ部を前記電気部品の係合部による押圧力により弾性変形させて前記接続端子部を前記回路基板のグランド電極と弾性接触させてあることを特徴とする。
【０００６】
さらに、本発明に係る携帯電子機器は、前記静電気対策ユニットを筐体内に具備することを特徴とする。
また、本発明に係る携帯電子機器は、前記電気部品の側面には、外方に突出する水平壁部と、該水平壁部より下方に延びる垂直壁部とからなる突出部が設けられ、該突出部を前記筐体に係合させて固定すると共に、前記水平壁部には前記係合部が設けられ、前記電気部品を筐体内に固定したとき、前記係合部による押圧力により前記接続端子部のバネ部を弾性変形させて接続端子部を前記回路基板のグランド電極と弾性接触させてあることを特徴とする。
【発明の効果】
【０００７】
本発明によれば、係止部を電気部品に係合させることにより、枠体部と電気部品とを一体的に固定することができるため、この電気部品を内蔵する携帯電子機器の組立作業性の向上を図ることができる。また、従来のように、静電気除去部材を接着により電気部品に貼り付けるのではなく、係止部を利用して静電気除去部材を電気部品に取り付ける構成となっているため、電気部品に対する静電気除去部材の脱着を容易に行うことができ、電気部品のメンテナンスも容易に行うことができる。
【０００８】
また、電気部品を回路基板の表面に配した状態においては、バネ部の付勢力により回路基板の表面に形成されたグランド電極と静電気除去部材との電気接続を保持できるため、電気部品の近傍で発生した静電気を枠体部からグランド電極に確実に逃がすことができる。したがって、電気部品の静電気対策の信頼性向上を図ることができる。
【発明を実施するための最良の形態】
【０００９】
図１から図５は本発明に係る一実施形態を示しており、ここで説明する実施の形態は、この発明を携帯電話機に適用した場合のものである。この実施の形態に係る携帯電話機（携帯電子機器）１は、図１，２に示すように、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【００１０】
第１の筐体２の内部には、通話キー、終話キー等の各種の押圧可能な操作キーからなる操作部７及び通話用のマイクロフォン部９が設けられている。マイクロフォン部９は、基端部２ａとは反対側に位置する第１の筐体２の先端部２ｂに配されている。これら操作部７及びマイクロフォン部９は、２つの筐体２，３を相互に重ね合わせた状態において第２の筐体３に対向する第１の筐体２の対向面２ｃから外方に露出している。
第２の筐体３の内部には、ＬＣＤ（Liquid Crystal Display）等、各種情報を表示する２つの表示部１１，１３、通話用のスピーカ部１５、そして、第１の筐体２に備える操作部７やマイクロフォン部９と電気接続させるための回路基板（図示せず）が設けられている。スピーカ部１５は、基端部３ａとは反対側に位置する第２の筐体３の先端部３ｂに配されている。
【００１１】
第１の表示部１１及びスピーカ部１５は、２つの筐体２，３を相互に重ね合わせた状態において第１の筐体２に対向する第２の筐体３の対向面３ｃから外方に露出している。また、第２の表示部（電気部品）１３は、対向面３ｃとは反対側に位置する外面３ｄから外方に露出している。
対向面２ｃ，３ｃから露出する操作部７、マイクロフォン部９、第１の表示部１１及びスピーカ部１５は、第１、第２の筐体２，３を互いに重ね合わせて閉じた状態において、各筐体２，３により覆い隠されるようになっている。また、外面３ｄから露出する第２の表示部１３の表示面１３ａは、２つの筐体２，３の開閉状態にかかわらず、外方に露出している。なお、図中の符号１６は、基地局と無線通信を行うためのアンテナである。
【００１２】
第２の表示部１３は、図３，４に示すように、回路基板１７の表面１７ａに配されており、外方に露出する表示面１３ａを備える略矩形板状の表示部本体（本体部）１９と、表示部本体１９の側面１９ｃから突出する一対の突出部２３を備えており、これら突出部２３は、表示部本体１９を挟んで互いに対称な位置に配されている。各突出部２３は、表示部本体１９の側面１９ｃから表示面１３ａに対して略平行に延びる略板状の水平壁部（係合部）２５と、水平壁部２５の先端から回路基板１７側に向けて延びる垂直壁部２７とを備えている。
【００１３】
水平壁部２５は、表示部本体１９の厚さ寸法よりも薄く形成されており、その上面２５ａが、表示面１３ａを含む表示部本体１９の頂面（主面）１９ａから厚さ方向下方に下がった位置に配されている。
また、上面２５ａと反対側に位置する水平壁部２５の裏面２５ｂは、回路基板１７の表面１７ａに接触する表示部本体１９の裏面１９ｂから厚さ方向上方に位置している。すなわち、回路基板１７の表面１７ａに表示部本体１９を重ねて配した状態においては、回路基板１７の表面１７ａと水平壁部２５の裏面２５ｂとが、隙間を有して相互に対向するように位置することになる。
この水平壁部２５の先端側には、厚さ方向に貫通する貫通孔２９が形成されており、この貫通孔２９は、平面視略矩形状に形成されている。
【００１４】
垂直壁部２７は、表示部本体１９の裏面２５ｂから厚さ方向下方に突出するように形成されており、その先端には、第２の筐体３の対向面３ｃを構成するフロントケース３１と第２の表示部１３とを相互に固定するための略楔状の鉤部２７ａが形成されている。
以上のように構成された第２の表示部１３には、第２の表示部１３の近傍で発生した静電気を回路基板１７の表面１７ａに形成されたグランド電極１７ｂに逃がすための静電気除去部材３３が取り付けられている。
【００１５】
この静電気除去部材３３は、図４，５にその要部を示すように、金属や導電性プラスチック等の導電性材料からなり、第２の表示部１３の表示面１３ａの周縁を覆う平面視略矩形状の枠体部３５と、表示部本体１９の側面１９ｃの一部を覆う側壁部３７と、回路基板１７のグランド電極１７ｂに電気的に接続する接続端子部３９とを備えている。これら枠体部３５、側壁部３７及び接続端子部３９は一体的に形成されており、金属板で形成されている場合には、折り曲げ加工により形成してある。
【００１６】
接続端子部３９は、第２の表示部１３を挟み込む位置に一対設けられており、それぞれ第２の表示部１３に静電気除去部材３３を固定するための係止部４１と、係止部４１の先端側に設けられた弾性変形可能なバネ部４３とを備えている。
各係止部４１は、枠体部３５を表示部本体１９の頂面１９ａの周縁に配した状態において、各突出部２３の水平壁部２５に係合するように構成されている。すなわち、この係止部４１は、断面視略コ字状に形成されており、貫通孔２９を通じて水平壁部２５の上面２５ａ及び裏面２５ｂに当接し、水平壁部２５を挟み込むように構成されている。このように構成された係止部４１は、後述するバネ部４３と接続端子部３９の根元部との間に設けられている。
【００１７】
バネ部４３は、係止部４１のうち水平壁部２５の裏面２５ｂに当接する部分に一体的に形成されており、水平壁部２５の裏面２５ｂに対して傾斜して配されている。このバネ部４３は、水平壁部２５の裏面２５ｂと回路基板１７の表面１７ａとの隙間に配されている。そして、バネ部４３は、水平壁部２５の裏面２５ｂと回路基板１７の表面１７ａとが相互に離間する方向に付勢しており、第２の表示部１３と回路基板１７との間に隙間が存在する状態においても、この付勢状態を保持するように構成されている。
なお、上述のように、バネ部４３が付勢している状態においては、バネ部４３の先端部は、回路基板１７の表面１７ａに形成されたグランド電極１７ｂに当接している。すなわち、この状態においては、接続端子部３９が回路基板１７のグランド電極１７ｂと弾性接触することになり、静電気除去部材３３とグランド電極１７ｂとが電気的に接続されることになる。
以上のように構成された第２の表示部１３及び静電気除去部材３３により、回路基板１７のグランド電極１７ｂに静電気を逃がす静電気対策ユニット５０が構成されている。
【００１８】
図４に示すように、第２の筐体３の内部に配される第１の表示部１１、回路基板１７及び第２の表示部１３は、フロントケース３１の内面３１ａから厚さ方向に順番に重ねて配されており、第１の表示部１１の表示面１１ａがフロントケース３１に形成された開口部３１ｂから外方に露出するようになっている。なお、フロントケース３１の内面３１ａは、対向面３ｃの反対側に位置する面を指し示している。
このフロントケース３１には、内面３１ａから突出する突出壁部４５が形成されている。この突出壁部４５は、第１の表示部１１及び回路基板１７の側部を囲むように配されており、これら第１の表示部１１及び回路基板１７を収容する役割を果たしている。また、突出壁部４５の基端部には、第２の表示部１３に形成された突出部２３の鉤部２７ａを係合させる孔４５ａが形成されている。
この鉤部２７ａが孔４５ａに係合した状態においては、第２の表示部１３が回路基板１７の表面１７ａに接触して、フロントケース３１に固定されることになる。
【００１９】
以上のように構成された携帯電話機１の製造において、第２の筐体３の内部に２つの表示部１１，１３及び回路基板１７を組み込む場合には、はじめに、第２の表示部１３の突出部２３に静電気除去部材３３の係止部４１を係合させて第２の表示部１３に静電気除去部材３３を被せて取り付ける。この取り付けの際には、静電気除去部材３３の枠体部３５や側壁部３７が第２の表示部１３の周囲に配されることになる。また、この際には、表示部本体１９を挟んだ対称な位置に配された各突出部２３の水平壁部２５に係止部４１がそれぞれ係合するため、一対の係止部４１により第２の表示部１３を狭持することになる。
次いで、２つの表示部１１，１３及び回路基板１７を第２の筐体３の内部に組み込む。この組み込みの際には、フロントケース３１の内面３１ａから第１の表示部１１、回路基板１７及び第２の表示部１３を順番に重ねて配する。この際には、突出壁部４５によってフロントケース３１に対する第１の表示部１１及び回路基板１７の配置が決定される。
【００２０】
その後、第２の表示部１３を回路基板１７の表面１７ａに配する。この際には、突出壁部４５の孔４５ａに突出部２３の鉤部２７ａを係合させて、第２の表示部１３とフロントケース３１とを固定させる。
この状態においては、接続端子部３９のバネ部４３が水平壁部２５に押圧されてバネ部４３の先端がグランド電極１７ｂに接触して、静電気除去部材３３とグランド電極１７ｂとが相互に電気接続されると共に、第２の表示部１３と回路基板１７とがバネ部４３の付勢力によって相互に離間する方向に付勢されることになる。また、この状態においては、第１の表示部１１及び回路基板１７が、第２の表示部１３及びフロントケース３１により挟まれるため、フロントケース３１から抜け出ることを防止できる。
【００２１】
最後に、フロントケース３１と共に第２の筐体３を構成するリアケース（図示せず）を第２の表示部１３の表示面１３ａ側に配することにより、２つの表示部１１，１３及び回路基板１７を第２の筐体３の内部に組み込む作業が終了する。なお、リアケースは、第２の筐体３の外面３ｄ側を構成するものであり、第２の表示部１３の表示面１３ａを外方に露出させる開口部を有している。
【００２２】
上記のように、この静電気除去部材３３によれば、従来のように、金属箔を接着により第２の表示部１３等の電気部品に貼り付けるのではなく、静電気除去部材３３を第２の表示部１３に被せ、突出部２３に静電気除去部材３３の係止部４１を係合させるだけで、静電気除去部材３３の枠体部３５や側壁部３７を第２の表示部１３の周囲に容易に配することができるため、携帯電話機１の組立作業効率を向上させることができる。
また、係止部４１や突出部２３を利用して静電気除去部材３３を第２の表示部１３に取り付ける構成のため、第２の表示部１３に対する静電気除去部材３３の脱着を容易に行うことができ、第２の表示部１３のメンテナンスも容易に行うことができる。
【００２３】
さらに、一対の係止部４１により第２の表示部１３を狭持しているため、第２の表示部１３と静電気除去部材３３とを確実に固定した状態に保持できる。
また、静電気除去部材３３を第２の表示部１３に固定する係止部４１が、静電気をグランド電極１７ｂに逃がすための接続端子部３９の構成に含まれるため、静電気除去部材３３の形状を簡略化して、静電気除去部材３３の製造コストの削減を図ることができる。
【００２４】
また、第２の表示部１３を回路基板１７の表面１７ａに配した状態においては、第２の表示部１３の水平壁部２５の押圧力によってバネ部４３を弾性変形させ、バネ部４３の付勢力により静電気除去部材３３とグランド電極１７ｂとの電気接続を保持できるため、第２の表示部１３の近傍で発生した静電気を枠体部３５からグランド電極１７ｂに確実に逃がすことができる。したがって、第２の表示部１３の静電気対策の信頼性向上を図ることができる。
特に、第２の表示部１３の鉤部２７ａとフロントケース３１の孔４５ａとの係合状態に遊びがある場合、すなわち、鉤部２７ａが孔４５ａに係合した状態において振動等により第２の表示部１３が回路基板１７の表面１７ａから浮き上がる場合があったとしても、バネ部４３の付勢力によって、静電気除去部材３３と回路基板１７のグランド電極１７ｂとの電気接続を保持できる。
【００２５】
また、この静電気対策ユニット５０によれば、バネ部４３は、表示部本体１９の裏面１９ｂから厚さ方向上方に位置する水平壁部２５の裏面２５ｂと、回路基板１７の表面１７ａとの隙間に配されているため、第２の表示部１３の裏面１９ｂを回路基板１７の表面１７ａに接触させることができる。したがって、第２の表示部１３と回路基板１７とを重ね合わせた厚さ寸法を小さくして、携帯電話機１の薄型化を図ることができる。
さらに、第２の表示部１３のうちバネ部４３を配する面が、表示部本体１９の側面１９ｃから突出する突出部２３に形成されているため、表示部本体１９の形状を簡素化して、表示部本体１９を容易に製造することが可能となる。
【００２６】
また、第２の表示部１３における静電気除去部材３３の係止部４１との係合、及び、バネ部４３の配置は、いずれも同一の突出部２３を利用して行われている、すなわち、係止部４１は突出部２３の水平壁部２５に係合し、バネ部４３は水平壁部２５の裏面２５ｂに配されている。このため、第２の表示部１３の形状を簡略化して、第２の表示部１３の製造コストの削減を図ることができる。
さらに、第２の筐体３内部に２つの表示部１１，１３及び回路基板１７を組み込む際には、フロントケース３１の内面３１ａに第１の表示部１１、回路基板１７、第２の表示部１３及びリアケースを順番に重ねるため、第２の表示部１３を回路基板１７の表面１７ａに配した状態においては、静電気除去部材３３や回路基板１７の表面１７ａが外方に露出することになる。したがって、リアケースを取り付ける前に、静電気除去部材３３とグランド電極１７ｂとの電気接続を容易に確認することができる。
【００２７】
なお、上記実施形態において、静電気除去部材３３を第２の表示部１３に固定するための係止部４１は、回路基板１７のグランド電極に電気接続する接続端子部３９の構成に含まれるとしたが、これに限ることはなく、接続端子部３９から独立して構成されるとしても構わない。すなわち、係止部は、例えば、静電気除去部材３３の側壁部３７に形成するとしても構わない。ただし、この構成の場合には、表示部本体１９にこの係止部に係合する係合部を別途形成しておく必要がある。なお、この場合の係合部は、例えば、表示本体１９の側面から突出した突起部であってもよいし、同側面から窪んだ凹部であってもよい。
【００２８】
また、上記実施形態の静電気除去部材３３は、第２の表示部１３に取り付けられるものとしたが、これに限ることはなく、少なくとも筐体の外方から露出する電気部品に取り付けるものであればよい。すなわち、この電気部品としては、例えば、第１の表示部１１、マイクロフォン部９、スピーカ部１５、また、カメラユニットであってもよい。ここで、電気部品がマイクロフォン部９である場合の主面とは集音口を含む面のことをいい、スピーカ部１５である場合の主面とは放音口を含む面のことをいう。また、電気部品がカメラユニットである場合の主面とは撮像窓を含む面のことをいう。
さらに、互いに重ね合わせ可能な２つの筐体２，３を備えた携帯電話機１に適用されるとしたが、携帯電話機１に限ることはなく、ＰＤＡ、デジタルカメラのように、筐体の外方に露出する電気部品を備えた携帯電子機器であればよい。
【００２９】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３０】
【図１】この発明の一実施形態に係る携帯電話機を構成する２つの筐体を相互に開いた状態を示す対向面側の平面図である。
【図２】図１の携帯電話機において、２つの筐体を相互に開いた状態を示す外面側の平面図である。
【図３】図１の携帯電話機において、第２の表示部及びシールド部材を示す拡大斜視図である。
【図４】図１の携帯電話機において、第２の筐体に固定された第２の表示部を示す部分拡大断面図である。
【図５】図１の携帯電話機において、シールド部材の接続端子部を示す部分拡大斜視図である。
【符号の説明】
【００３１】
１  携帯電話機（携帯端末装置）
３  第２の筐体
１３  第２の表示部（電気部品）
１７  回路基板
１７ｂ  グランド電極
１９  表示部本体（本体部）
１９ａ  頂面（主面）
１９ｃ  側面
２３  突出部
２５  水平壁部（係合部）
２７  垂直壁部
３３  静電気除去部材
３５  枠体部
３９  接続端子部
４１  係止部
４３  バネ部
【図１】
2006012730.tif 000003
【図２】
2006012730.tif 000004
【図３】
2006012730.tif 000005
【図４】
2006012730.tif 000006
【図５】
2006012730.tif 000007